(57)【要約】      （修正有）【課題】手帳と紙幣貯蓄の機能を併せ持つ積立手帳を提供する。【解決手段】紙幣Ｍを貯蓄し得る機能を併せ持った積立手帳１であって、縦中央箇所で二つ折りされた台紙１０の折代１２に多数枚の紙片２０が積層状に綴じ込まれ、所定枚数毎の紙片の表面または裏面のいずれか一面若しくは両面に紙幣を折らずに収納可能な紙幣ポケット２２が備えられている。台紙の折代に、紙片が所定枚数毎に所定間隔を空けて綴じ込まれる手段を有しているのが好ましい。【選択図】図１
0003218296.tif 000002
【実用新案登録請求の範囲】
【請求項１】
紙幣貯蓄の機能を併せ持つ手帳であって、
縦中央箇所で二つ折りされた台紙の折代に多数枚の紙片が積層状に綴じ込まれて成り、所定枚数毎の該紙片における表面または裏面のいずれか一面若しくは両面に紙幣を折らずに収納可能な紙幣ポケットが備えられて成ることを特徴とする積立手帳。
【請求項２】
前記台紙の折代において、前記紙片が、所定枚数毎に所定間隔を空けて綴じ込まれて成ることを特徴とする請求項１に記載の積立手帳。
【考案の詳細な説明】
【技術分野】
【０００１】
本考案は、手帳に関し、詳しくは、紙幣の積立が可能な手帳に関するものである。
【背景技術】
【０００２】
従来の一般的な手帳は、概ね一週間ごとの日付が記載された予定記入ページと、空白や行線のみ記載された自由記載ページが合わさって構成されているものがほとんどである。かかる従来の一般的な手帳によれば、予定記入ページに予定を記入すること、そして、自由記載ページをメモ帳として使用することで、記憶を助けるべく機能するものであるが、それ以上の機能・用途を有するものではなかった。
【０００３】
ところで、現実の日常生活において、格安で販売・提供されている使い捨て型の貯金箱を使用し、５００円玉貯金に代表されるような、日常的に家庭でできる硬貨貯金が以前から行われている。かかる硬貨貯金は、時間は掛かるものの、買物の際に生じたおつりを貯金するなど、さほど負担なく貯金でき、且つ、貯金箱満杯に貯まったときには想像以上に大きな金額となるため、達成感と喜びをあじわうことが可能である。しかしながら、貯まった硬貨を紙幣に換金あるいは口座に入金しようとする場合、大量の硬貨によって重量が非常に重くなって、持ち運びに労力を要することとなる。
【０００４】
従来、手帳の機能を併せ持つ財布あるいは逆に財布の機能を併せ持つ手帳が提案され、公知となっている。例えば、見開き型カバーの内側夫々にポケットを設け、一方を紙幣入れとし、他方を手帳等の表紙を挿入することで、財布に手帳の機能を併せ持たせた「財布」（特許文献１）や、カバーの付された手帳の当該カバーの裏面に紙幣収納部を形成した「サイフ兼用の手帳」（特許文献２）、二重構造のカバーの外側を紙幣入れとし、内側を手帳入れとした「財布兼用手帳カバー」(特許文献３)、二つ折りに形成されたカバーの内面に紙幣等を収納可能な収納部を備え、カバーの折り代内面には手帳等の紙片を保持可能な金具を備え付けた「日記帳・予定表並びにカード収納部を備えた財布」（特許文献４）などが提案され、公知技術となっている。
【０００５】
しかしながら、上記各提案は、手帳と財布の機能を併せ持つものであって、人の記憶を助けるべく機能すると共に、日常生活において経済活動の利便性が向上するものであるが、紙幣は使用目的で収納されたるものであって、貯蓄を目的とするものではなかった。
【０００６】
本出願人は、従来から日常的に使用されている手帳に着目し、当該手帳を利用して紙幣の貯蓄ができないものかとの発想のもと、紙幣貯蓄の機能を併せ持つ手帳を開発し、本考案にかかる「積立手帳」の提案に至るものである。
【先行技術文献】
【特許文献】
【０００７】
【特許文献１】実開昭４８−４２９１３号公報
【特許文献２】実開昭５６−２６２６９号公報
【特許文献３】実開平１−８３５７６号公報
【特許文献４】登録実用新案第３１２２３７２号公報
【考案の概要】
【考案が解決しようとする課題】
【０００８】
本考案は、上記事情に鑑み、手帳と紙幣貯蓄の機能を併せ持つ積立手帳を提供することを課題とするものである。
【課題を解決するための手段】
【０００９】
上記課題を解決するため、本考案は、  紙幣貯蓄の機能を併せ持つ手帳であって、縦中央箇所で二つ折りされた台紙の折代に多数枚の紙片が積層状に綴じ込まれて成り、所定枚数毎の該紙片における表面または裏面のいずれか一面もしくは両面に紙幣を折らずに収納可能な紙幣ポケットが備えられて成る手段を採る。
【００１０】
また、本考案は、前記紙片が、所定枚数毎に所定間隔を空けて綴じ込まれて成る手段を採用し得る。
【考案の効果】
【００１１】
本考案にかかる積立手帳によれば、綴じられた紙片に紙幣ポケットが備えられていることによって、該紙幣ポケットへ紙幣を収納して貯金ができるため、普段の生活において日常的に使用される手帳に紙幣貯蓄の機能即ち積立機能を併せ持たせることができる、といった優れた効果を奏する。
【００１２】
また、本考案にかかる積立手帳によれば、紙幣ポケットに収納されるのが紙幣であるため、同じ金額を貯金しようとした場合に、硬貨貯金に比し軽量化が図られる、といった優れた効果を奏する。
【００１３】
さらに、本考案にかかる積立手帳によれば、紙片が所定枚数毎に所定間隔を空けて綴じ込まれて成る手段を採用することで、紙幣ポケットに紙幣を収納することで厚みが増しても、嵩張ることなく使用することができる、といった優れた効果を奏する。
【図面の簡単な説明】
【００１４】
【図１】本考案にかかる積立手帳の実施形態を示す説明図である。
【図２】本考案にかかる積立手帳の実施形態を示す平面図である。
【考案を実施するための形態】
【００１５】
本考案にかかる積立手帳１は、縦中央箇所で二つ折りされた台紙１０の折代１２に多数枚の紙片２０が積層状に綴じ込まれて成り、所定枚数毎に該紙片２０の表面若しくは裏面に紙幣Ｍを折らずに収納可能な紙幣ポケット２２が備えられて成る手段を採ったことを最大の特徴とする。
以下、本考案にかかる積立手帳１の実施形態を、図面に基づいて説明する。
【００１６】
尚、本考案にかかる積立手帳１は、以下に述べる実施形態に限定されるものではなく、本考案の技術的思想の範囲内、すなわち同一の作用効果を発揮できる形状や寸法等の範囲内で、適宜変更することができる。
【００１７】
図1は、本考案にかかる積立手帳１の実施形態を示す説明図であり、図２は、本考案にかかる積立手帳１の実施形態を示す平面図である。
本考案にかかる積立手帳１は、縦中央箇所で二つ折りされた台紙１０の折代１２に、多数枚の紙片２０が積層状に綴じ込まれて成る。
【００１８】
台紙１０は、積立手帳１に綴じ込まれる紙片２０の表装カバーとして機能するもので、その材質については特に限定するものではなく、紙製や合皮製等が考え得る。該台紙１０は、縦中央箇所を折代１２として二つ折りに形成され、積層状に綴じ込まれた紙片２０の表面と裏面及び縦の一側面を表装する。多数枚の紙片２０が積層状に綴じ込まれるため、縦の一側面について相応の厚みを帯びることとなることから、該縦の一側面を表装すべく、折代１２は所要厚さを有して形成される。
【００１９】
紙片２０は、例えば筆記用具にて紙面に記載可能な用紙であって、積立手帳１において予定記入ページあるいは自由記載ページとして機能するもので、表面や裏面には必要に応じて日付や区切線、行線等が記載されている。該紙片２０は、多数枚が積層状に綴じ込まれることで手帳として機能するもので、その積層された紙片２０の表面と裏面及び縦の一側面が前記台紙１０によって表装されている。
尚、該紙片２０について、便宜上「紙」の文字を使用して表現しているが、材質について紙製に限定されるものではなく、プラスチックやビニールといった樹脂で成形されるなど、他の材質で成形される態様も考え得る。
【００２０】
紙片２０を積層状に綴じ込むための具体的構造については、特に限定するものではなく、一般的な手帳において紙片２０を綴じ込む常法の態様であれば足り、例えば台紙１０の折代１２に積層した紙片２０の側面を貼着する態様や、折代１２に綴込金具を設けて該綴込金具に紙片２０に開けられた綴り孔を通す態様などが考え得る。
【００２１】
紙片２０の表面若しくは裏面には、紙幣ポケット２２が備えられる。該紙幣ポケット２２は、紙幣Ｍを折らずに収納可能な形状であって、封筒様な紙製や中が視認し得る透明なビニール製により成形され、紙片２０の表面または裏面のいずれか一面若しくは両面に貼着等により装着されている。
【００２２】
紙幣ポケット２２は、綴じ込まれた紙片２０の所定枚数毎に備えられるもので、全ての紙片２０に備えられる態様のほか、二枚置き・三枚置きに備える態様、各紙幣ポケット２２の間を夫々ランダム（任意）な枚数を置いて備える態様など、自由に決定し得る。
【００２３】
ところで、紙幣ポケット２２に紙幣Ｍを収納することで、積層された紙片２０全体の厚みが次第に増加することが考えられ、その場合に嵩張って持ち運びを含め収納等に不便な場合が想定し得る。そこで、図２に示すように、紙片２０を積層状に綴じ込む際、所定枚数毎に所定間隔１４を空けて綴じ込む態様が考え得る。かかる態様を採用することにより、紙幣Ｍを収納することで厚みが増しても、空けられた所定間隔１４と増えた厚みとが相殺され、積立手帳１全体として嵩張ることなく使用することが可能となる。
【００２４】
以上のとおり構成される本考案にかかる積立手帳１の全体の大きさについては、特に限定するものではないが、紙幣ポケット２２が紙幣Ｍを折らずに収納可能であることから、少なくとも紙幣Ｍより大きく成形されることとなる。尚、紙幣ポケット２２に収納可能な紙幣Ｍの種類については限定するものではなく、種類を問わず千円札から二千円札、五千円札、一万円札の全ての紙幣Ｍが収納可能であり、さらには外国紙幣を収納可能とする態様も可能である。もちろん、一の紙幣ポケット２２には一枚の紙幣Ｍのみ収納されるとは限らず、複数枚の紙幣Ｍを収納し得るように紙幣ポケット２２を成形することもできる。
【００２５】
以上の構成から成る本考案にかかる積立手帳１について、「手帳」とは、予定を記入し得る一般的な意味での手帳のほか、日記帳やメモ帳、ノートといった日常生活で使用し得る冊子状のもの全てが含まれる概念である。
【００２６】
以上で構成される本考案にかかる積立手帳１によれば、綴じられた紙片２０に紙幣ポケット２２が備えられていることによって、該紙幣ポケット２２へ紙幣Ｍを収納して貯金ができるため、普段の生活において日常的に使用される手帳に紙幣Ｍを貯蓄し得る機能即ち積立機能を併せ持たせることができ、しかも紙幣ポケット２２に収納されるのが紙幣Ｍであるため、硬貨貯金の様に重量が嵩むことなく貯蓄でき、紙片２０が所定枚数毎に所定間隔１４を空けて綴じ込まれて成る手段を採用することで、紙幣ポケット２２に紙幣Ｍを収納することで厚みが増しても、嵩張ることなく使用することができる。
【００２７】
本考案にかかる積立手帳１の使用態様については、使用者の自由であって限定されるものではないが、硬貨貯金に比し軽量化が図られ且つ厚みも嵩張らないことから、手帳として持ち運んで使用したり、あるいは、金銭が貯蓄されるという機能上、紛失や盗難の危険に鑑み持ち運ぶことに抵抗がある場合も想定されるため、自宅に置いたまま使用する態様も可能である。
【産業上の利用可能性】
【００２８】
本考案にかかる積立手帳は、普段の生活において日常的に使用される手帳に紙幣貯蓄の機能を併せ持たせることで、硬貨貯金の様に重量が嵩むことなく、且つ、目標に合わせて日常生活の中で気軽に貯蓄することを可能ならしめるものである。したがって、本考案にかかる「積立手帳」の産業上の利用可能性は、極めて大きいものと思料する。
【符号の説明】
【００２９】
１    積立手帳
１０    台紙
１２    折代
１４    所定間隔
２０    紙片
２２    紙幣ポケット
Ｍ    紙幣
【図１】
0003218296.tif 000003
【図２】
0003218296.tif 000004